(57)【特許請求の範囲】
【請求項１】
バッグ類に配したハンドル収納筒に伸縮自在に引き出し可能にして脚部分が収納され、バッグ類の上部に設けたハンドル収納部内に握り部が格納されるハンドルを備えると共に、キャスターによって移動走行が可能なバッグ類におけるキャスターロック装置であって、このキャスターロック装置は、ハンドルの伸縮に対応し、縮小格納時に連動して操作されるロックスイッチを備えた操作機構と、この操作機構のロックスイッチによる作動が、牽引されるワイヤーを備えた伝達機構を介して伝達されることでキャスターの車輪の外側面あるいは内側面に圧接・圧止する停止力で、車輪の転動を阻止して制動し、復原部で制動作用を解除させる押圧停止機構と、ハンドルの任意の引き出し長さの選択位置に対応して仮止め状にハンドルを係止する適数の係止部、ハンドル収納部内における握り部の格納位置でハンドルを係止する係止部、キャスターに対する前記押圧停止機構の停止力によってキャスターをロックさせるよう、格納位置で係止する前記係止部に比し下方位置に配されていてハンドルを停止する係止部それぞれを前記ハンドル収納筒に設けて成る係止機構とを備え、ロックスイッチは、前記ハンドル収納部の上縁位置に握り部の上縁がほぼ同一高さとなって収納されたときにハンドルが前記格納位置の係止部にて一旦は格納停止された後、更なる押し込みで押圧されるハンドルが前記格納位置の係止部よりも下方位置にあってキャスターをロックさせる前記係止部に係止されることで前記伝達機構を操作可能としてあることを特徴とするバッグ類のキャスターロック装置。
【請求項２】
操作機構は、ハンドルの握り部あるいは脚部分に突出状にして設けた押し込み操作部と、押圧停止機構に伝達する伝達機構が連繋されていて、上下にスライドするロックスイッチと、このロックスイッチを上下方向にスライド案内する上下スライドガイドとから成る請求項１に記載のバッグ類のキャスターロック装置。
【請求項３】
ロックスイッチは、左右に配したハンドル収納筒相互間に架け渡されるように跨る左右の幅員を有する板状に形成されていると共に、左右側縁に一体状に形成した上下スライドガイドをハンドル収納筒にスライド自在に嵌め合わせて成る請求項１または２に記載のバッグ類のキャスターロック装置。
【請求項４】
ロックスイッチの中央部には、伝達機構のワイヤーがロックスイッチ自体の上方側から連繋されることで、連結させるワイヤ連結部を設けてある請求項１乃至３のいずれかに記載のバッグ類のキャスターロック装置。
【請求項５】
操作機構は、ハンドルの握り部あるいは脚部分に突出状にして設けた左右の押し込み操作部と、押圧停止機構に伝達する伝達機構が連繋されていて、上下にスライドするよう左右のハンドル収納筒相互間に配されたワイヤ連結体と、押し込み操作部によってスライド下降されるスライド体及びワイヤ連結体相互間を連結していて、梃子作動で揺動する左右の梃子レバーとから成り、ワイヤ連結体、スライド体、梃子レバーによってロックスイッチを構成している請求項１に記載のバッグ類のキャスターロック装置。
【発明の詳細な説明】
【技術分野】
【０００１】
本発明はキャスターによって移動可能になっているスーツケース等のバッグ類において、移動等のために引き出し伸長させたハンドルを押し込み収納した後、更なるハンドルの押し込みに伴うロックスイッチに対する操作でバッグ類自体の移動を阻止するように、キャスターをロックできるスーツケース等のバッグ類のキャスターロック装置に関する。
【背景技術】
【０００２】
従来からキャスターにより移動可能で、引き出し収納式のハンドルを備えた各種のスーツケースが提供されているところ、そのキャスターを一時的にロックしてスーツケース自体の移動を阻止する各種のキャスターロック装置が提案されている。ただ、従来の多くのキャスターロック装置は、ロック操作するための独立した押しボタン類に対する操作が必要であり、その取り扱い操作等が面倒であった。これを解決すべく、ハンドルの伸縮に対応し、その縮小格納によってキャスターをロックできるように、本発明者等は、特許文献１に示されるバッグ類のキャスターロック装置を提案した。
【０００３】
このキャスターロック装置は、スーツケースに設けられている引き出し収納式のハンドルの押し込み操作に関連してキャスターに対するロック作動を行えるようにしたものである。すなわち、ハンドルの縮小格納時に操作される操作機構、この操作機構の作動で牽引されるワイヤーを備えた伝達機構、この伝達機構を介してキャスターの車輪に対する圧接・圧止の停止力で車輪の転動を阻止制動する押圧停止機構を備えて成る。
【先行技術文献】
【特許文献】
【０００４】
【特許文献１】特許第４７５７３５６号公報
【発明の概要】
【発明が解決しようとする課題】
【０００５】
この特許文献１に示されるキャスターロック装置では、ハンドルをスーツケースのハンドル収納部に押し込み収納したときにキャスターをロックできるので、ハンドルの縮小格納操作によって自動的にキャスターの転動を停止でき、また引き出し伸張と共にキャスターによる移動走行が可能となる利点がある。そうすると、ハンドルの縮小格納時ではキャスターが常時ロック状態となるから、ハンドルの収納時にスーツケースを移動するのは困難であり、移動時にはハンドルを僅かにでも引き出してロックを解除しなければならなかった。
【０００６】
そこで本発明は従来提案した上記のキャスターロック装置を改良したもので、その目的はキャスターの車輪（コロ）の転動で、引き出し式の伸縮可能なハンドルによって移動走行が可能なスーツケース等のバッグ類において、そのハンドルの縮小格納操作によってキャスターの転動を停止させるとき、バッグ類に設けられているハンドル収納部内にハンドルが一旦押し込み収納されても、それによってはキャスターをロックせず、ハンドル収納部内で更なる押し込み操作によってキャスターをロック可能となるようにしたスーツケース等のバッグ類のキャスターロック装置を提供することにある。
【課題を解決するための手段】
【０００７】
上述した課題を解決するため、後述する発明の実施の形態における符号を付記して説明すると、本発明にあっては、伸縮自在に引き出し、格納されるハンドル１０を備え、キャスター２によって移動走行が可能なバッグ類におけるキャスターロック装置２０であって、このキャスターロック装置２０は、ハンドル１０の伸縮に対応し、縮小格納時に連動して操作されるロックスイッチ２２を備えた操作機構２１と、この操作機構２１のロックスイッチ２２による作動が、牽引されるワイヤーを備えた伝達機構２９を介して伝達されることでキャスター２の車輪の外側面あるいは内側面に圧接・圧止する停止力で、車輪の転動を阻止して制動し、復原部３６で制動作用を解除させる押圧停止機構３０とを備え、ロックスイッチ２２は、バッグ類１のハンドル収納部９に収納されたハンドル１０の更なる押し込みで押圧されることで伝達機構２９を操作可能としてあることを特徴とする。
操作機構２１は、ハンドル１０の握り部１２あるいは脚部分１１に突出状にして設けた押し込み操作部２３と、押圧停止機構３０に伝達する伝達機構２９が連繋されていて、上下にスライドするロックスイッチ２２と、このロックスイッチ２２を上下方向にスライド案内する上下スライドガイド２４とから構成することができる。
ロックスイッチ２２は、左右に配したハンドル収納筒１３相互間に架け渡されるように跨る左右の幅員を有する板状に形成されていると共に、左右側縁に一体状に形成した上下スライドガイド２４をハンドル収納筒１３にスライド自在に嵌め合わせて構成することができる。
ロックスイッチ２２の中央部には、伝達機構２９のワイヤーがロックスイッチ２２自体の上方側から連繋されることで、連結させるワイヤ連結部２５を設けて構成することができる。
また、操作機構２１は、ハンドル１０の握り部１２あるいは脚部分１１に突出状にして設けた左右の押し込み操作部２３と、押圧停止機構３０に伝達する伝達機構２９が連繋されていて、上下にスライドするよう左右のハンドル収納筒１３相互間に配されたワイヤ連結体２６と、押し込み操作部２３によってスライド下降されるスライド体２７及びワイヤ連結体２６相互間を連結していて、梃子作動で揺動する左右の梃子レバー２８とから成り、ワイヤ連結体２６、スライド体２７、梃子レバー２８によってロックスイッチ２２を構成することができる。
具体的構成として、バッグ類１に配したハンドル収納筒１３に伸縮自在に引き出し可能にして脚部分１１が収納され、バッグ類１の上部に設けたハンドル収納部９内に握り部１２が格納されるハンドル１０を備えると共に、キャスター２によって移動走行が可能なバッグ類におけるキャスターロック装置であって、このキャスターロック装置２０は、ハンドル１０の伸縮に対応し、縮小格納時に連動して操作されるロックスイッチ２２を備えた操作機構２１と、この操作機構２１のロックスイッチ２２による作動が、牽引されるワイヤーを備えた伝達機構２９を介して伝達されることでキャスター２の車輪の外側面あるいは内側面に圧接・圧止する停止力で、車輪の転動を阻止して制動し、復原部３６で制動作用を解除させる押圧停止機構３０と、ハンドル１０の任意の引き出し長さの選択位置に対応して仮止め状にハンドル１０を係止する適数の係止部１６Ａ、ハンドル収納部９内における握り部１２の格納位置でハンドル１０を係止する係止部１６Ｂ、キャスター２に対する前記押圧停止機構３０の停止力によってキャスター２をロックさせるよう、格納位置で係止する前記係止部１６Ｂに比し下方位置に配されていてハンドル１０を停止する係止部１６Ｃそれぞれを前記ハンドル収納筒１３に設けて成る係止機構１５とを備え、ロックスイッチ２２は、前記ハンドル収納部９の上縁位置に握り部１２の上縁がほぼ同一高さとなって収納されたときにハンドル１０が前記格納位置の係止部１６Ｂにて一旦は格納停止された後、更なる押し込みで押圧されるハンドル１０が前記格納位置の係止部１６Ｂよりも下方位置にあってキャスター２をロックさせる前記係止部１６Ｃに係止されることで前記伝達機構２１を操作可能としてあることを特徴する。
【０００８】
以上のように構成された本発明に係るバッグ類のキャスターロック装置にあって、バッグ類１のハンドル収納部９に一旦収納したハンドル１０を更に下方に押し込む押し下げ作動によって、伝達機構２９を介した押圧停止機構３０の作動で移動走行用のキャスター２をロックし、バッグ類１の移動走行を制動停止させる。
ハンドル収納部１３内へのハンドル１０の一時的な格納、例えばハンドル１０の握り部１２のハンドル収納部１３の上縁位置との同一高さ位置ではキャスター２をロックさせず、ハンドル１０の収納状態のままでバック類１の移動走行を可能にさせる。
ハンドル１０の一時的な格納状態にあるときの更なるハンドル１０の押し込み操作で、キャスター２の転動を阻止するロック状態にさせ、ハンドル１０の引き出し、ハンドル収納部１３内への押し込み格納、更には一段と押し下げる押し込み等の操作によって、バッグ類１の移動可能、停止状態を自在に選択させる。
左右に配したハンドル収納筒１３相互間に架け渡されるロックスイッチ２２構造は、ハンドル１０の押し込みによって左右で安定的に下方にスライドされ、伝達機構２９による牽引作動を円滑にさせる。
また、左右のワイヤ連結体２６、スライド体２７、左右の梃子レバー２８によって構成されるロックスイッチ２２構造は、ハンドル収納部９内でのハンドル１０の更なる押し込みあるいは引き出しで左右からスライド体２７を上下方向に安定的に上下スライドさせ、押圧停止機構３０におけるロック作動、その解除作動を円滑にさせる。
【発明の効果】
【０００９】
本発明は以上説明したように構成されているため、移動走行用のキャスター２を備えたバッグ類１の移動可能状態、停止状態を、ハンドル１０の引き出し、ハンドル収納部１３内への押し込み格納、更には一段と押し下げる押し込み等の操作によって自在に選択でき、しかもハンドル１０のみの上下位置の調整選定によって操作できることで使用勝手を大きく向上できる。また、ハンドル１０のハンドル収納部１３内への一時的な格納状態でもバッグ類１の移動走行が可能であるから、格納時でも速やかにバッグ類１を移動でき、そして格納時に移動を停止させるときには、更にハンドル１０を押し込み下げればよいから、便利である。
【００１０】
すなわち、これは本発明において、ハンドル１０の縮小格納時に連動して操作されるロックスイッチ２２を備えた操作機構２１と、ロックスイッチ２２による作動が、牽引されるワイヤーを備えた伝達機構２９を介して伝達されることでキャスター２の車輪に対する停止力で、車輪の転動を阻止して制動し、復原部３６で制動作用を解除させる押圧停止機構３０とを備え、ロックスイッチ２２は、バッグ類１のハンドル収納部９に収納されたハンドル１０の更なる押し込みで押圧されることで伝達機構２９を操作可能としたからである。これにより、バッグ類１の移動、停止をハンドル１０の上下動操作のみに関連づけられ、しかもハンドル収納部１３内でのハンドル１０の上下動で移動、停止を選択できるから、使用勝手を著しく向上できる。
【００１１】
キャスター２の転動、その制動停止のための押圧停止機構３０を操作する操作機構２１におけるロックスイッチ２２は、ハンドル１０に設けた押し込み操作部２３によって左右で安定して上下にスライドするから、ハンドル１０の上下動に確実に連動し、伝達機構２９を介して押圧停止機構３０を確実に作動させることができる。
【００１２】
また、左右のワイヤ連結体２６、スライド体２７、左右の梃子レバー２８によって構成されるロックスイッチ２２構造においても、同様にハンドル収納部９内のハンドル１０の更なる押し込みあるいは引き出しによる梃子レバー２８の梃子作動で左右からスライド体２７を上下方向に安定的にスライドでき、伝達機構２９を介して押圧停止機構３０を確実に作動させることができる。
【００１３】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１４】
【図１】本発明を実施するための一形態を示し、ハンドルを引き出し、キャスターを転動可能としているロック解除時の断面図である。
【図２】同じくハンドルをバッグ類のハンドル収納部に一旦収納したときで、ロック解除状態にあるときの断面図である。
【図３】同じくハンドル収納部内でハンドルを更に押し込み、操作されるロックスイッチによってキャスターの転動が阻止されるロック時の断面図である。
【図４】同じく図１におけるＡ−Ａ線断面図である。
【図５】同じく図３におけるＢ−Ｂ線断面図である。
【図６】同じくキャスターをロックする押圧停止機構の一例における作動を示す断面図である。
【図７】同じく他の実施の形態を示し、ロックスイッチのロック解除時を示す要部正断面図である。
【図８】同じくロック解除時の要部側断面図である。
【図９】同じくハンドルをハンドル収納部に一旦収納したときで、ロック解除状態にあるときの要部正断面図である。
【図１０】同じくハンドルを更に押し込みキャスターをロックしたときにおける要部正断面図である。
【発明を実施するための形態】
【００１５】
以下、図面を参照して本発明を実施するための一形態を説明すると、図において示される符号１は例えば所定容量の衣服類その他を収納、保管するスーツケースの如きバッグ類であり、必要とする所定容量を備えることで、本体部分とこの本体部分に対して開閉自在にした蓋部分とによってほぼ直方体状に形成されている。このバッグ類１には、移動走行・歩行時にバッグ類１から引き出すよう、例えば左右で対状あるいは中央で１本状に配置することで、１段あるいは複数段で伸縮・引き出し自在となっている脚部分１１を備えているハンドル１０がバッグ類１の例えば背部に格納構成されている。また、このバッグ類１には、バッグ類１自体を移動走行させるためのキャスター２が底部面とまたは一方の側部面等における例えば四隅位置に形成してあるキャスター取付部３に配装されている。
【００１６】
図示におけるキャスター２は、バッグ類１の外壁の所定位置に窪み状に形成したキャスター取付部３に例えばねじ止めされることで取り付けられている。その取り付けのための、例えばねじ止め構造は、キャスター２を転動可能に軸支していると共にベアリングによって旋回可能に支持しているキャスター支持体４と、後述する押圧停止機構３０における作動及びその解除のために連繋される伝達機構２９との連繋作動部分を構成している作動機構連繋体５とをキャスター取付部３の内外側面にそれぞれ当接配置し、相互間でねじ止めして成る。すなわち、キャスター支持体４をキャスター取付部３の外側面に当接させて位置決めする一方、作動機構連繋体５をキャスター取付部３の内側面に当接させて位置決めし、例えば作動機構連繋体５からキャスター取付部３を貫挿させた取付ネジをキャスター支持体４にねじ込むことで固定してある。
【００１７】
また、キャスター支持体４の基部における中心位置には、キャスター２の車輪を水平面で旋回させるベアリング６を上下方向から挟み込んで支持するよう、内外で二重筒状になって互いにねじ込まれて成る筒状の中空軸部７が設けられており、この中空軸部７内に後述する押圧停止機構３０における押圧停止バー３５が挿通配置されるようにしてある（図６参照）。こうすることで、キャスター２における車輪に対する後述の伝達機構２９を介してのキャスター支持体４内を経由した圧接・圧止、その解除の伝達構造を構成可能にしている。もとより、キャスター２の取付構成は、図示例に限定されるものでないことは勿論である。
【００１８】
そして、ハンドル１０を引き出し・収納する伸縮操作に対応して、すなわち、ハンドル１０を縮小格納したときにキャスター２自体の転動を一時的にでも停止させるようにしたキャスターロック装置２０が設けられている。このキャスターロック装置２０は、ハンドル１０の伸縮に対応し、縮小格納時に連動して操作されるロックスイッチ２２を備えた操作機構２１と、この操作機構２１のロックスイッチ２２による作動が、牽引されるワイヤーを備えた伝達機構２９を介して伝達されることでキャスター２の車輪の外側面あるいは内側面に圧接・圧止する停止力で、車輪の転動を阻止して制動し、復原部３６で制動作用を解除させる押圧停止機構３０とを備え、ロックスイッチ２２は、バッグ類１のハンドル収納部９に収納されたハンドル１０の更なる押し込みで押圧されることで伝達機構２９を操作可能としてある。
【００１９】
尚、伝達機構２９のワイヤーは、これの上端が連繋される操作機構２１のロックスイッチ２２部分と、キャスター２をロックする押圧停止機構３０との連繋部分との間で、例えばバッグ類１の外側壁内側面に沿って形成した伝達経路に沿ってスライドされるように、伝達経路を構成する例えば鞘管内にスライド自在に収納されている。
【００２０】
ハンドル１０は、バッグ類１の背部に上下の固定アーム１４によって上下方向に沿って固定されることで左右に対状にして配されている筒状のハンドル収納筒１３内に、バッグ類１の上方に引き出し可能で、また押し込み収納可能となるようにスライド自在にしてその脚部分１１を挿入してある。ハンドル収納筒１３の上端開口は、バッグ類１の上部に窪ませて形成してあるハンドル収納部９の底部面に位置しており、ハンドル１０自体は、ハンドル収納筒１３に沿ってスライドするときに複数の適宜位置で仮止めされる係止機構１５を備えている。
【００２１】
この係止機構１５は、図示のように、中空状のハンドル１０の脚部分１１下端に、ハンドル収納筒１３の所定位置に形成されている孔状の係止部１６に弾発的に係止するようクリック体１７を揺動自在に配すると共に、ハンドル１０の握り部１２に配した解除ボタン１８に対する押圧によって伝達手段１９を介してクリック体１７をフリー状態にしてハンドル１０をスライド自在にさせ、クリック体１７の係止部１６Ａ，…に対する係止時に解除ボタン１８を突出復帰させるようにして成る。
【００２２】
そして、係止部１６Ａ，…は、図１に示すようにハンドル１０自体の引き出し長さの選択位置に対応して仮止め状に係止する複数の位置（１６Ａ）で、また図２に示すようにハンドル１０をハンドル収納部９に格納した位置（１６Ｂ）で、更に図３に示すようにキャスター２をロックすべく、その格納位置から更に押し込ませてロックスイッチ２２を押し下げ操作して停止する位置（１６Ｃ）で、ハンドル１０を停止し、それを維持するものとしてある。ハンドル１０の格納位置に相当する係止部（１６Ｂ）では、ハンドル１０の握り部１２の上縁はハンドル収納部１３の上縁位置とほぼ同一高さとなるようにしてあり、少なくともハンドル収納部１３の上縁位置に比し上方には大きく突出していない状態となしてある。
【００２３】
尚、図示のハンドル１０の構成は、その脚部分１１が左右で対状に配され、脚部分１１上端を握り部１２で連結してある逆Ｕ字形状としてあるも、これが、１本脚形状であっても良く、また脚部分１１が小径部分と大径部分とで伸縮可能に構成してある場合でも、係止機構１５は同様に構成することができる。
【００２４】
図示にあっての操作機構２１は、ハンドル１０上部の握り部１２に、例えばこの握り部１２における前後側面のいずれかに握り部１２面から突出状にして設けた押し込み操作部２３と、押圧停止機構３０に伝達する伝達機構２９、すなわちワイヤーが連繋されていて、上下にスライドするロックスイッチ２２と、このロックスイッチ２２を上下方向にスライド案内する上下スライドガイド２４とから成る。尚、押し込み操作部２３はハンドル１０の脚部分１１に設けることもできる。
【００２５】
図示のように、ロックスイッチ２２自体は、左右に配したハンドル収納筒１３相互間に架け渡されるように跨る左右の幅員を有し、中央部で下方に突出させた突出部を備えた、正面から見たほぼ凹字外部形状を呈する板状に形成されていると共に、左右側縁に一体状に形成した筒状の上下スライドガイド２４をハンドル収納筒１３にスライド自在に例えばその外側で囲繞するように嵌め合わせることで、上下方向に円滑にスライド案内されるようにしてある。このロックスイッチ２２の中央部には、伝達機構２９の対状のワイヤーを、このワイヤーがロックスイッチ２２の上方側から連繋されるよう、前記伝達経路の上端から下方に伸ばされた状態でワイヤー端を例えばねじ止め連結させるワイヤ連結部２５を設けてある。
【００２６】
図示にあって、スライドガイド２４の上端縁に押し込み操作部２３の下端縁が当接し、押し込み操作部２３の下方への押し込みがスライドガイド２４を押し下げることでロックスイッチ２２自体を下方にスライドさせるようにしてある。また、スライドガイド２４の上端部は、ハンドル収納部９における底部面から僅かに突出した位置で上下にスライドするようになっている。そして、ハンドル１０がハンドル収納部９内に格納された状態で一旦停止しているときには押し込み操作部２３の下端縁とは当接していても、この状態では下方にスライドせず、ハンドル１０が更に押し込まれたときにはスライドガイド２４が下方にスライドされることでロックスイッチ２２を押し下げるようになっている。このように、ハンドル収納部９内におけるハンドル１０の更なる押し込みによってロックスイッチ２２が下方にスライド下降し、伝達機構２９を牽引することで押圧停止機構３０を作動させる。
【００２７】
また、このロックスイッチ２２は、ハンドル１０を引き上げたときにキャスター２に対するロックが解除されるのであり、このとき、後述する押圧停止機構３０における復原部３６による復帰力で原位置に復帰し、再度のロック操作のために待機する。
【００２８】
押圧停止機構３０は、図示例にあっては、キャスター２の取付位置である前記キャスター取付部３の内側面に当接配置される前記作動機構連繋体５内に区画形成した作動室３１内で上下動し、伝達機構２９の末端に連繋されている牽引駆動バー３２と、同じく作動機構連繋体５内で区画形成した配装室３３内で軸支され、先端に牽引駆動バー３２が枢支されている揺動梃子レバー３４と、この揺動梃子レバー３４に上下動自在に枢支され、揺動梃子レバー３４の揺動によって牽引駆動バー３２と逆方向で上下動するよう、下端がキャスター２の車輪の外側面に圧止する押圧停止バー３５と、押圧停止バー３５を車輪の外側面から離反させるよう牽引駆動バー３２を弾発付勢している復原部３６とを備えて成る（図６参照）。尚、押圧停止バー３５は、前記伝達機構連繋部５の配装室３３の底部壁を貫挿し、更にキャスター支持体４で軸支しているキャスター２の基部における水平面での旋回面の中心位置に設けてある前記中空軸部７内に挿通することで配置されており、配装室３３内での上下動によってキャスター２の車輪外側面に対する圧止、その解除が円滑に作動されるようにしてある。
【００２９】
この押圧停止機構３０における伝達機構連繋体５の作動室３１は、前記配装室３３の側方部位に隣接させて独立して、あるいは一体状に区画形成されていて、上下部分それぞれを仕切る隔壁３７を有している。図示のように作動室３１が配装室３３と連続した一体状にして区画形成されていると、揺動梃子レバー３４は作動室３１側に位置させて配装室３３内で枢支され、図示を省略したが、作動室３１が配装室３３とは独立して区画形成されていると、揺動梃子レバー３４は配装室３３内に位置されて枢支される。
【００３０】
揺動梃子レバー３４は、これのほぼ中央位置で配装室３３内に軸支されていて、一端側に牽引駆動バー３２が、他端側に押圧停止バー３５が枢支されており、牽引駆動バー３２の上昇（上動）が押圧停止バー３５の下降（下動）に変換されて車輪に押圧停止バー３５の下端を圧接する。また、圧接力を大きくしたい場合には、揺動梃子レバー３４の軸支位置を牽引駆動バー３２側にずらすことで対応できる。
【００３１】
尚、牽引駆動バー３２は、作動室３１の上部室部分内で伝達機構２９のワイヤーと連繋されており、復原部３６は、作動室３１における隔壁３７下側面と、牽引駆動バー３２における作動室３１の下部室部分内での上部にねじ止め固着したスプリングロック３８との間で、伸張傾向に弾発付勢させたコイルスプリングを縮装して成る。また押圧停止バー３５はその上下動を円滑に案内させるよう、例えばキャスター支持体４自体に設けてある上下動ガイド３９に貫挿させてある。
【００３２】
図示を省略したが、押圧停止バー３５の下端には、キャスター２の車輪の外側面に圧接するブレーキパッドを連結することもでき、押圧停止作用を一層確実になるように配慮できる。
【００３３】
この図示例の押圧停止機構３０は、シングルキャスター構造のキャスター２における車輪の外側面に圧止するのに好適なものとしてあるも、双輪タイプのダブルキャスター構造のキャスター２であれば、伝達機構２９による牽引が直接作動であるいは梃子作用による間接作動等で、その車輪の内側面に圧接・圧止させるパッド構成とすることも可能である。いずれにしても、伝達機構２９による牽引作用が、直接あるいは間接にも、また、リンク機構、梃子機構、スライド機構その他による圧接・圧止によってキャスター２の車輪を制動すれば良く、その構成、構造は特に限定されない。
【００３４】
以上に説明した実施の形態にあってのキャスター２自体は、その車輪であるコロが単輪構造であるシングルキャスターとされていても、対状の双輪構造であるダブルキャスターとされていても、また転動方向が一定とされている固定キャスターであっても、転動方向が自在なものとされている旋回キャスターであってもいずれも任意なものとしてあり、これらに対応した押圧停止機構３０によってキャスター２の転動が停止制動されるように構成されている。
【００３５】
また、図７乃至図１０には、操作機構２１の別の例が示されている。すなわち、ハンドル１０の脚部分１１に突出状にして設けた左右の押し込み操作部２３と、押圧停止機構３０に伝達する伝達機構２９、すなわちワイヤーが連繋されていて、上下にスライドするよう左右のハンドル収納筒１３相互間に配されたワイヤ連結体２６と、押し込み操作部２３によってスライド下降されるスライド体２７及びワイヤ連結体２６相互間を連結していて、梃子作動で揺動する左右の梃子レバー２８とから成り、ワイヤ連結体２６、スライド体２７、梃子レバー２８によってロックスイッチ２２が構成されている。
【００３６】
この操作機構２１では、押し込み操作部２３はハンドル１０の脚部分１１上部にフランジ状に突出形成されており、この押し込み操作部２３によって押し込まれるスライド体２７は、ハンドル収納部９内に一旦収納されたハンドル１０が押し込まれる作動前ではハンドル収納部９の底部から上方に若干突出しているように位置されている。スライド体２７はハンドル収納筒１３に沿って配されていて、ハンドル収納部９内で一旦は収納されたハンドル１０が更に押し込まれることで、押し込み操作部２３がスライド体２７を押し下げるとき、梃子レバー２８によってワイヤ連結体２６を押し上げることで伝達機構２９であるワイヤーを牽引する。このワイヤーの牽引は、押圧停止機構３０を作動させてキャスター２をロックし、また、ハンドル１０のバッグ類１の上方への引き出しで、ワイヤーが復帰してロックを解除しキャスター２を転動可能にさせる。尚、押し込み操作部２３はハンドル１０の握り部１２に設けることもできる。
【００３７】
尚、スライド体２７は、これの上端面が押し込み操作部２３の底面によって押圧当接されるようになっており、ハンドル収納筒１３の外側面に上下方向に沿って形成したガイド部２７Ａの両脇に配置されてスライドするスライド部２７Ｂを下部に備えていると共に、梃子レバー２８の後端と連繋されるピン状の連繋部２７Ｃを上部に有している。梃子レバー２８は、例えばハンドル収納部９の下方位置で揺動支点が設定されて揺動自在に枢支されており、梃子レバー２８の前端がワイヤ連結体２６に枢支されていて、揺動レバー２８の後端が押し下げられることでワイヤ連結体２６を上方に引き上げ、伝達機構２９のワイヤーを牽引するようにしてある。
【００３８】
この操作機構２１では、図９に示すようにハンドル１０の握り部１２の上面がバッグ類１の上面とほぼ同一となる位置で、ハンドル収納部９内にハンドル１０が一旦は収納されても、押し込み操作部２３はスライド体２７を押し込まず、キャスター２が転動可能なフリー状態としている。そして、図１０に示すようにハンドル収納部９内でハンドル１０を更に押し込むと、スライド体２７が押し下げられ、梃子レバー２８によってワイヤ連結体２６を引き上げ、伝達機構２９のワイヤーを牽引し、押圧停止機構３０ではキャスター２をロックする。
【００３９】
次にこれの作動の一例を説明すると、バッグ類１を移動させるときには、ハンドル収納部９から引き出したハンドル１０によって走行方向にキャスター２を転動させれば良く（図１参照）、逆に停止させてその移動を阻止させるときにはハンドル１０をハンドル収納部９内に一旦は押し込み、更にもう一段でその握り部１２を押し込むと（図３参照）、ハンドル１０の押し込み操作部２３がロックスイッチ２２を押し下げ、伝達機構２９を牽引して押圧停止機構３０を作動させて、キャスター２をロックする。また、ハンドル１０をハンドル収納部９内における最下部位置にまで押し込ませずに、僅かに上昇させた、すなわちハンドル１０の握り部１２をハンドル収納部９の上縁位置にしておくことで（図２参照）、ハンドル１０を収納したままでバッグ類１を移動走行できる。
【００４０】
尚、ハンドル１０を引出したバッグ類１の移動可能状態において、ハンドル１０をハンドル収納部９内の最下部位置に一気に押し込むことでキャスター２をロックし、その移動可能状態を停止させることも可能であり、逆にロック状態にある最下部位置のハンドル１０を一気に引き出すことで移動可能状態とすることも可能である。
【００４１】
このように、バッグ類１の移動、停止は、ハンドル１０の引き出し、ハンドル収納部１３内への押し込み格納、更には一段と押し下げる押し込み等の操作によって、自在に選択可能としており、また、ハンドル１０の引き出し長さの調整は、前記した係止部（１６Ａ）に対する仮止め位置の選定で行える。
【符号の説明】
【００４２】
１…バッグ類                            ２…キャスター
３…キャスター取付部                    ４…キャスター支持体
５…伝達機構連繋体                      ６…ベアリング
７…中空軸部
９…ハンドル収納部
１０…ハンドル                          １１…脚部分
１２…握り部                            １３…ハンドル収納筒
１４…固定アーム                        １５…係止機構
１６Ａ，１６Ｂ，１６Ｃ…係止部          １７…クリック体
１８…解除ボタン                        １９…伝達手段
２０…キャスターロック装置              ２１…操作機構
２２…ロックスイッチ                    ２３…押し込み操作部
２４…上下スライドガイド                ２５…ワイヤ連結部
２６…ワイヤ連結体                      ２７…スライド体
２７Ａ…ガイド部                        ２７Ｂ…スライド部
２７Ｃ…連繋部                          ２８…梃子レバー
２９…伝達機構
３０…押圧停止機構                      ３１…作動室
３２…牽引駆動バー                      ３３…配装室
３４…揺動梃子レバー                    ３５…押圧停止バー
３６…復原部                            ３７…隔壁
３８…スプリングロック                  ３９…上下動ガイド
【図１】
0005457423.tif 000002
【図２】
0005457423.tif 000003
【図３】
0005457423.tif 000004
【図４】
0005457423.tif 000005
【図５】
0005457423.tif 000006
【図６】
0005457423.tif 000007
【図７】
0005457423.tif 000008
【図８】
0005457423.tif 000009
【図９】
0005457423.tif 000010
【図１０】
0005457423.tif 000011